(57)【要約】【課題】受話器の音声機能の制御に関わる情報の伝達のための、親機と受話器との間の無線通信による電力の消費量を低減する。【解決手段】親機（１０）の親機操作部（１１）は、受話子機（２０）の受話音量を制御する操作を検出し、その操作の情報は、親機フラグ情報管理部（１４）で保持されて、受話子機（２０）から音声が出力される前に、親機（１０）から受話子機（２０）へ上記情報が送信される。【選択図】図１
2017224960.tif 000002
【特許請求の範囲】
【請求項１】
親機と、該親機と無線接続される受話器とを備えた電話機であって、
上記親機は、
上記受話器の音声機能を制御するための受話器音声操作を検出する操作検出部と、
上記操作検出部が検出した上記受話器音声操作の情報である音声操作情報を保持する操作情報保持部と、
上記音声機能が上記受話器で動作する前に、上記操作情報保持部が保持する上記音声操作情報を上記受話器へ送信する親機通信部と、
を備え、
上記受話器は、
上記音声操作情報を上記親機通信部から受信する受話器通信部と、
上記受話器通信部が受信した上記音声操作情報に基づいて、上記受話器を制御する受話器制御部と、
を備えたことを特徴とする電話機。
【請求項２】
上記親機通信部は、上記電話機が外線と通話可能な状態になったとき、あるいは、上記親機と上記受話器とが内線で通話可能な状態になったとき、上記音声操作情報を上記受話器へ送信することを特徴とする請求項１に記載の電話機。
【請求項３】
上記操作検出部は、上記受話器音声操作として、上記受話器が出力する音声の音量を調節する操作を検出し、
上記受話器制御部は、上記受話器が出力する音声の音量を制御することを特徴とする請求項１または２に記載の電話機。
【請求項４】
上記受話器制御部は、上記受話器に対する操作による制御と、上記操作検出部が検出した上記受話器音声操作による制御とが競合する場合、それらの操作のうちの最後の操作に基づいて、上記受話器を制御することを特徴とする請求項１から３のいずれか１項に記載の電話機。
【請求項５】
上記親機に対して、通話を開始する操作が行われたときに、上記親機通信部は、上記操作情報保持部が保持する上記音声操作情報を上記受話器へ送信することを特徴とする請求項１から４のいずれか１項に記載の電話機。
【請求項６】
上記受話器は、通話を開始するための通話ボタンを備えており、
上記受話器が通話を開始する操作を受け付けたとき、上記受話器通信部は、上記操作検出部が検出した上記音声操作情報を受信することを特徴とする請求項１から５のいずれか１項に記載の電話機。
【請求項７】
上記受話器通信部は、上記音声機能に関する設定の状態を示す制御状態情報を上記親機通信部に送信し、
上記親機は、上記受話器通信部から受信した上記制御状態情報を報知する親機報知部をさらに備えたことを特徴とする請求項１から６のいずれか１項に記載の電話機。
【請求項８】
親機と、該親機と無線接続される受話器とを備えた電話機の制御方法であって、
上記親機において、上記受話器の音声機能を制御するための受話器音声操作を検出する操作検出ステップと、
上記操作検出ステップにおいて検出した上記受話器音声操作の情報である音声操作情報を保持する操作情報保持ステップと、
上記音声機能が上記受話器で動作する前に、上記音声操作情報を上記親機から上記受話器へ送信する親機通信ステップと、
上記受話器が上記親機から上記音声操作情報を受信する受話器通信ステップと、
上記受話器通信ステップにおいて上記受話器が受信した上記音声操作情報に基づいて、上記受話器を制御する受話器制御ステップと、
を含むことを特徴とする電話機の制御方法。
【発明の詳細な説明】
【技術分野】
【０００１】
本発明は、コードレス受話器を備えた電話機、および電話機の制御方法に関し、例えば、受話器の受話音量を段階的に大きくすることができる機能を備えたコードレス電話機に関する。
【背景技術】
【０００２】
従来、親機と、受話子機タイプのコードレス受話器（コードレスハンドセット）とを備えたコードレス電話機が存在する。なお、受話子機タイプのコードレス受話器は、電話を発信・受電する子機としての機能が追加されたものである。また、コードレス電話機の中には、音量大ボタンを押下するなどの簡単な操作によって、コードレス受話器の受話音量を段階的に大きくすることができる機能を備えたものがある（例えば、特許文献１参照）。ユーザは、通話中に電話の相手の声が聞こえにくい場合、音量大ボタンを押下することによって、コードレス受話器の受話音量を調節することができる。
【０００３】
ユーザの操作の利便性等を考慮して、一部のコードレス電話機には、音量大ボタンが親機に設けられている。この場合、ユーザは、親機の音量大ボタンを押下して、コードレス受話器の受話音量を調整することができる。この構成では、親機の音量大ボタンが押下されたとき、親機とコードレス受話器とが無線通信することによって、親機とコードレス受話器との間で最新の操作情報を共有する。
【先行技術文献】
【特許文献】
【０００４】
【特許文献１】特開２００３−３１９０５６号公報（２００３年１１月７日公開）
【発明の概要】
【発明が解決しようとする課題】
【０００５】
しかしながら、上述した従来の構成では、親機の音量大ボタンが押下されるたび、無線通信のために電力が消費される。また、コードレス受話器が親機とは別の部屋に置かれている場合など、無線通信状態が悪い場合、親機およびコードレス受話器は、操作に関するデータの送受信に失敗する可能性がある。この場合、親機およびコードレス受話器は、データの送受信に成功するまで、無線通信を再試行するので、電力がさらに消費される。特に、コードレス受話器は、バッテリの電力を消費して無線通信するため、親機との無線通信のための電力の消費量が多いことには問題がある。
【０００６】
本発明は、前記の問題点に鑑みてなされたものであり、その目的は、コードレス受話器の音声機能の制御に関わる情報の伝達のための、親機とコードレス受話器との間の無線通信による電力の消費量を低減することにある。
【課題を解決するための手段】
【０００７】
上記の課題を解決するために、本発明の一態様に係るコードレス電話機は、親機と、該親機と無線接続される受話器とを備えた電話機であって、上記親機は、上記受話器の音声機能を制御するための受話器音声操作を検出する操作検出部と、上記操作検出部が検出した上記受話器音声操作の情報である音声操作情報を保持する操作情報保持部と、上記音声機能が上記受話器で動作する前に、上記操作情報保持部が保持する上記音声操作情報を上記受話器へ送信する親機通信部と、を備え、上記受話器は、上記音声操作情報を上記親機通信部から受信する受話器通信部と、上記受話器通信部が受信した上記音声操作情報に基づいて、上記受話器を制御する受話器制御部と、を備えている。
【０００８】
また、上記の課題を解決するために、本発明の一態様に係るコードレス電話機の制御方法は、親機と、該親機と無線接続される受話器とを備えた電話機の制御方法であって、上記親機において、上記受話器の音声機能を制御するための受話器音声操作を検出する操作検出ステップと、上記操作検出ステップにおいて検出した上記受話器音声操作の情報である音声操作情報を保持する操作情報保持ステップと、上記音声機能が上記受話器で動作する前に、上記音声操作情報を上記親機から上記受話器へ送信する親機通信ステップと、上記受話器が上記親機から上記音声操作情報を受信する受話器通信ステップと、上記受話器通信ステップにおいて上記受話器が受信した上記音声操作情報に基づいて、上記受話器を制御する受話器制御ステップと、を含む。
【発明の効果】
【０００９】
本発明の一態様によれば、受話器の音声機能の制御に関わる情報の伝達のための、親機と受話器との間の無線通信による電力の消費量を低減することができる。
【図面の簡単な説明】
【００１０】
【図１】実施形態１に係るコードレス電話機の構成を示すブロック図である。
【図２】実施形態１に係るコードレス電話機の外観図である。
【図３】（ａ）は、実施形態１に係るコードレス電話機が備えた親機と受話子機とがリンクしていない状態を示す図であり、（ｂ）は、親機と受話子機とがリンクしている状態を示す図である。
【図４】（ａ）は、実施形態１に係るコードレス電話機が備えた親機と受話子機とがリンクしていない状態であるときの親機および受話子機の表示例を示す図であり、（ｂ）は、親機と受話子機とがリンクしている状態であるときの親機および受話子機の表示例を示す図である。
【図５】（ａ）はコードレス電話機の受話子機が実行する処理の流れを示すフローチャートであり、（ｂ）は、コードレス電話機の親機が実行する処理の流れを示すフローチャートである。
【図６】親機フラグの値および受話子機フラグの値の組合せと、音量大機能のＯＮまたはＯＦＦとの対応関係を示す。
【図７】実施形態２に係るコードレス電話機の構成を示すブロック図である。
【発明を実施するための形態】
【００１１】
〔実施形態１〕
以下、本発明の実施の形態について、詳細に説明する。
【００１２】
（電話機１の構成）
図１および図２を用いて、実施形態１に係るコードレス電話機１（以下では、電話機１と略称する）の構成を説明する。図１は、電話機１の構成を示すブロック図である。図２は、電話機１の外観図である。図１および図２に示すように、電話機１は、親機１０および受話子機２０（受話器）で構成されている。親機１０と受話子機２０とは、互いに無線接続される。受話子機２０は、親機１０のコードレスハンドセットとしての機能に、電話機１の電話回線を捕捉することによって受電または発信する子機の機能が追加されたものである。ユーザは、受話子機２０のみを操作して、発信・受電することができる。なお、電話機１は、受話子機２０の代わりに、子機としての機能を備えず、かつボタンおよびキーも備えないコードレスハンドセットを備えていてもよい。図２に示すように、親１０および受話子機２０の各筐体の表面には、それぞれ、各種ボタン（通話ボタン・終話ボタンを含む）およびキー（ナンバーキー等）が配置されている。
【００１３】
電話機１は、親機１０または受話子機２０の音量大ボタン１１Ａまたは２１Ａ（図２参照）を押下する操作（受話器音声操作）で受話子機２０の受話音量（すなわち、通話中に受話子機２０のイヤピースから出力される音声の大きさ）を段階的に（例えば、１２ｄＢずつ）大きくする音量大機能（音声機能）を有する。本実施形態では、音量大機能は、受話子機２０の受話音量を、２段階（通常および最大）で切り替える。なお、電話機１は、音量大機能とは異なる音声関連機能、すなわち、受話子機２０から出力される音声に関連する他の機能（例えば、スピーカ音量の調節や録音データの再生）を有していてもよい。また、一変形例に係る音量大機能は、受話子機２０がスピーカホンモードである場合にスピーカから出力される音声の音量を段階的に大きくする機能であってよい。
【００１４】
（親機１０の構成）
図１に示すように、親機１０は、親機操作部１１（操作検出部）、親機通信部１２（無線通信部）、親機表示部１３（親機報知部）、および親機フラグ情報管理部１４（操作情報保持部）を含む。
【００１５】
図２に示すように、親機操作部１１は、親機１０の筐体の表面に設けられた物理ボタンおよびキーである。ユーザは、親機操作部１１を操作することによって、電話の発信や受電等を行う。図１および図２に示すように、親機操作部１１は、受話子機２０の受話音量を段階的に切り替えるための音量大ボタン１１Ａを含む。本実施形態では、親機操作部１１は、受話子機２０の受話音量を通常（音量大ＯＦＦ）から最大（音量大ＯＮ）に切り替える。また、親機操作部１１は、親機１０を通話状態にする（すなわち、親機１０に電話機１の電話回線を捕捉させる）ための通話ボタン１１Ｂをさらに含む。
【００１６】
図１に示すように、親機通信部１２は、受話子機２０の受話子機通信部２４（受話器通信部）と無線通信する。親機通信部１２および受話子機通信部２４は、例えば、ＤＥＣＴ（Digital Enhanced Cordless Telecommunications）方式で通信可能であってもよいし、あるいは、無線ＬＡＮ（Local Access Network）方式またはＢｌｕｅｔｏｏｔｈ（登録商標）通信方式で通信可能であってもよい。親機通信部１２と受話子機通信部２４とは、リンクすることによって、お互いの間でデータを送受信することが可能になる。親機１０と受話子機２０との間で、ピアトゥーピアの双方向通信によるコマンド送受信が可能になることを、親機１０と受話子機２０とがリンクすると呼ぶ。親機１０と受話子機２０とは、例えば、通話中にリンクする。なお、親機１０と受話子機２０とは、リンクしている場合に限らず、例えば、待機状態である場合も無線接続していてよい。しかしながら、親機１０と受話子機２０とは、待機状態である場合、機器の識別情報を送受信するが、無線接続した他の機器との間でコマンドを送受信することは不可能である。
【００１７】
図２に示すように、親機表示部１３は、親機１０の筐体の表面に設けられた画面を有する表示デバイスである。親機表示部１３は、例えば、液晶表示デバイスであってよい。
【００１８】
親機フラグ情報管理部１４は、親機操作部１１の音量大ボタン１１Ａが押下された（親機フラグ＝１）か否（親機フラグ＝０）かを示す親機フラグ情報を保持する。なお、親機１０と受話子機２０とがリンクするたびに、親機フラグ情報管理部１４の親機フラグは初期値０に戻されてよい。親機フラグが１である場合、親機フラグ情報は、音量大ボタン１１Ａが押下された（すなわち、親機１０に対し、受話子機２０の音量大機能をＯＮにするための操作がなされた）ことを示す。また、親機フラグが０である場合、親機フラグ情報は、前回の通話後に、音量大ボタン１１Ａが押下されていないことを示す。なお、親機１０と受話子機２０とがリンクするたびに、親機フラグ情報管理部１４の親機フラグは初期値にリセットされる。
【００１９】
（受話子機２０の構成）
図１に示すように、受話子機２０は、受話子機操作部２１、音量制御部２２（受話器制御部）、音声出力部２３、受話子機通信部２４、受話子機表示部２５（受話器報知部）、および受話子機フラグ管理部２６を含む。
【００２０】
受話子機操作部２１は、受話子機２０の筐体の表面に設けられた物理ボタンおよびキーである。ユーザは、受話子機操作部２１を操作することによって、電話の発信や受電等を行う。受話子機操作部２１は、受話子機２０の受話音量を段階的に切り替えるための音量大ボタン２１Ａ、および、受話子機２０を通話可能な状態にする通話ボタン２１Ｂであって、受話子機２０に電話機１の電話回線を捕捉させるための通話ボタン２１Ｂを含む。なお、本実施形態のコードレス電話機１は、音量大ボタン２１Ａの操作によって、受話子機２０の受話音量を通常（音量大ＯＦＦ）から最大（音量大ＯＮ）に切り替えられる。
【００２１】
音量制御部２２は、親機フラグ情報管理部１４の親機フラグ情報、および、受話子機フラグ管理部２６の受話子機フラグ情報（後述）にしたがって、受話子機２０の受話音量を制御する。音量制御部２２による受話音量の制御の具体的な方法を、下記の受話音量調整処理（図３の（ａ）参照）の説明中で説明する。
【００２２】
音声出力部２３は、通話中に電話の相手の音声を出力するデバイスである。図２に示すように、音声出力部２３は、具体的には、受話子機２０の表面の上部に設けられたイヤピースを含む。また、音声出力部２３は、受話子機２０の背面に設けられたスピーカをさらに含む。受話子機２０がイヤピースモードである場合、通話の相手の音声は、上記イヤピースから出力される。また、受話子機２０がスピーカホンモードである場合、通話の相手の音声は、上記スピーカから出力される。
【００２３】
受話子機通信部２４は、親機１０の構成の説明中で説明したように、親機１０の親機通信部１２と無線通信する。受話子機表示部２５は、受話子機２０の筐体の表面に設けられた画面を有する表示デバイスである。受話子機表示部２５は、例えば、液晶表示デバイスであってよい。
【００２４】
受話子機フラグ管理部２６は、受話子機操作部２１の音量大ボタン２１Ａが押下された（受話子機フラグ＝１）か否（受話子機フラグ＝０）かを示す受話子機フラグ情報を保持する。なお、受話子機２０が親機１０から最新の親機フラグ情報を受信するたびに、受話子機フラグ管理部２６の受話子機フラグは初期値０に戻されてよい。受話子機フラグが１である場合、受話子機フラグ情報は、前回の通話後に、音量大ボタン２１Ａが押下された（すなわち、受話子機２０に対し、受話子機２０の音量大機能をＯＮにするための操作がなされた）ことを示す。また、受話子機フラグが０である場合、受話子機フラグ情報は、前回の通話後に、音量大ボタン２１Ａが押下されていないことを示す。
【００２５】
（受話音量調整処理の流れ）
図３の（ａ）（ｂ）〜図５の（ａ）（ｂ）を用いて、電話機１が実行する受話音量調整処理の流れを説明する。
【００２６】
（リンク時・非リンク時の表示）
図３の（ａ）は、親機１０と受話子機２０とがリンクしていない状態（待機状態）の一例を示す図であり、図３の（ｂ）は、親機１０と受話子機２０とがリンクしている状態（通話中）の一例を示す図である。図３の（ａ）では、受話子機２０が親機１０にオンフックされている。しかしながら、受話子機２０は、オフフックされたままで待機状態になる場合もある（例えば、前回の通話において、受話子機２０の終話ボタンが押下されることによって終話した場合）。また、図３の（ｂ）では、受話子機２０が親機１０にオフフックされている。しかしながら、受話子機２０は、オンフックされたままで通話可能な状態になる場合もある（例えば、受話子機２０がスピーカホンモードである場合）。
【００２７】
図４の（ａ）は、親機１０と受話子機２０とがリンクしていない状態（待機状態）であるときの親機表示部１３および受話子機表示部２５の表示例を示す図であり、図４の（ｂ）は、親機１０と受話子機２０とがリンクしている状態（通話中）であるときの親機表示部１３および受話子機表示部２５の表示例を示す図である。なお、図示しないが、親機１０の親機表示部１３にも、図４の（ａ）（ｂ）に対応する画面（ただし、図４の（ａ）（ｂ）に示す画面内の「受話子機」がない）が表示されてよい。図４の（ａ）（ｂ）に示すように、受話子機表示部２５および親機表示部１３には、親機１０と受話子機２０とがリンクしているか否かを示すアイコン（図４の（ａ）に示すアンテナのアイコン）が表示される。なお、親機１０および受話子機２０は、表示以外の手段で、親機１０と受話子機２０とがリンクしていることをユーザに報知してもよい。例えば、一変形例において、親機１０および受話子機２０は、親機１０と受話子機２０とがリンクしているときに点灯するＬＥＤ（図示せず）をそれぞれ備えていてもよい。
【００２８】
図４の（ａ）に示すように、親機１０と受話子機２０とがリンクしていないとき、電波の受信感度が弱い状態のアンテナを示すアイコンが表示される。図４の（ａ）に示すように、親機１０と受話子機２０とがリンクしているとき、電波の受信感度が強い状態のアンテナを示すアイコンが表示される。親機１０と受話子機２０とがリンクしていないとき、音量制御部２２は、音量大機能がＯＮまたはＯＦＦのどちらであるかを示す制御状態情報を親機１０へ送信することができない。そのため、受話子機表示部２５にのみ、受話子機２０の音量大機能がＯＮに設定されていることを示す制御状態情報（図４の（ｂ）に示す受話子機表示部２５における「オンリョウ大」の文字）が表示される。受話子機通信部２４は、受話子機２０の音量大機能がＯＮであることを示す制御状態情報を、親機通信部１２に送信することができない。したがって、親機表示部１３には、上記制御状態情報が表示されない。
【００２９】
図４の（ｂ）に示すように、受話子機２０の音量大機能がＯＮである場合、受話子機表示部２５の画面には、音量大機能がＯＮであることを示す制御状態情報が表示される。また、親機１０と受話子機２０とがリンクしているとき、音量制御部２２は、音量大機能がＯＮまたはＯＦＦのどちらであるかを示す制御状態情報を親機１０へ送信する。親機通信部１２は、受話子機通信部２４から、音量大機能がＯＮに設定されていることを示す制御状態情報を取得する。そして、親機表示部１３には、受話子機２０の音量大機能がＯＮであることを示す制御状態情報が表示される。図４の（ｂ）では、親機表示部１３に表示される「オンリョウ大」の文字が制御状態情報である。親機１０と受話子機２０とがリンクしているとき、受話子機表示部２５の表示と親機表示部１３の表示とは同期している。すなわち、通話中、音量大機能がＯＮからＯＦＦに切り替えられて、受話子機表示部２５における「オンリョウ大」の表示が消えたとき、親機表示部１３における「オンリョウ大」の表示も消える。そのために、親機１０または受話子機２０に対し、音量大機能のＯＮとＯＦＦとを切り替える操作が行われるたびに、親機１０および受話子機２０は、最新の親機フラグ情報および受話子機フラグ情報を送受信する。
【００３０】
受話子機２０がイヤピースモードである場合、ユーザは、通話の相手の音声を聞くために、受話子機２０を顔の横で把持するので、受話子機表示部２５に表示される制御状態情報を見ることができない。しかしながら、本実施形態の構成によれば、親機１０と受話子機２０とがリンクしているとき、親機表示部１３の表示と受話子機表示部２５の表示とは同期しているから、親機表示部１３にも制御状態情報が表示される。そのため、ユーザは、親機表示部１３に表示される制御状態情報を確認することによって、受話子機２０の音量大機能がＯＮであることを知ることができる。
【００３１】
（音量大機能の制御）
図５の（ａ）は、受話子機２０が実行する処理の流れを示すフローチャートである。また、図５の（ｂ）は、受話子機２０が実行する処理に対応して、親機１０が実行する処理の流れを示すフローチャートである。
【００３２】
（１．受話子機２０の動作）
図５の（ａ）を用いて、受話音量調整処理における受話子機２０の動作を説明する。図５の（ａ）に示すように、最初、受話子機２０は待機状態（図３の（ａ）および図４の（ａ）参照）である。このとき、受話子機２０の受話子機通信部２４と親機１０の親機通信部１２とは、互いにリンクしていない（Ｓ１０１）。
【００３３】
受話子機操作部２１は、受話子機通信部２４と親機通信部１２とがリンクしていない状態である間に、受話子機操作部２１の音量大ボタン２１Ａを押下するユーザの操作を検出しなかった場合（Ｓ１０２でＮｏ）、受話子機フラグ管理部２６の受話子機フラグを初期値０のままで維持する（Ｓ１０３）。また、受話子機操作部２１は、受話子機通信部２４と親機通信部１２とがリンクしていない状態である間に、音量大ボタン２１Ａを押下するユーザの操作を検出した場合（Ｓ１０２でＹｅｓ、操作検出ステップ）、受話子機フラグ管理部２６の受話子機フラグを０から１に切り替える（Ｓ１０４、操作情報保持ステップ）。なお、受話子機操作部２１は、受話子機操作部２１の音量大ボタン２１Ａが２回以上押下された場合、２回目以降の操作を無視してもよいし、操作を検出するごとに、受話子機フラグ（すなわち、音量大機能のＯＮとＯＦＦとを切り替えるための受話子機２０に対する操作の有無を示すフラグ）を０（ＯＦＦに対応）と１（ＯＮに対応）との間で交互に切り替えてもよい。
【００３４】
通話を開始するユーザの操作（例えば、通話ボタン１１Ｂまたは２１Ｂの押下、あるいは受話子機２０のオフフック）が行われた場合、受話子機通信部２４は、受話子機通信部２４と親機通信部１２との間でリンクを確立させる（Ｓ１０５）。
【００３５】
受話子機通信部２４と親機通信部１２との間でリンクが確立した後、音量制御部２２は、無線通信によって、親機１０の親機フラグ情報管理部１４から、親機フラグ情報を受信する（Ｓ１０６、受話器通信ステップ）。
【００３６】
次に、音量制御部２２は、受話子機フラグ管理部２６の受話子機フラグ情報を参照して、受話子機フラグが１または０のどちらであるかを確認する。受話子機フラグが１である場合（Ｓ１０７で１）、音量制御部２２は、受話子機２０の受話音量を最大（音量大ＯＮ）にする（Ｓ１１０）。そして、受話音量調整処理は終了する。
【００３７】
一方、受話子機フラグが０である場合（Ｓ１０７で０）、音量制御部２２は、受信した親機フラグ情報を参照して、親機フラグが１であるか０であるかを判定する。親機フラグが０である場合（Ｓ２０８で０）、音量制御部２２は受話子機２０の受話音量を通常のまま（音量大ＯＦＦ）にする（Ｓ１０９）。一方、親機フラグが１である場合（Ｓ２０８で１）、音量制御部２２は受話子機２０の受話音量を最大まで大きく（音量大ＯＮ）する（Ｓ１１０、受話器制御ステップ）。そして、受話音量調整処理は終了する。
【００３８】
以上のように、本実施形態に係る受話音量調整処理では、通話を開始するユーザの操作が行われたとき、親機１０と受話子機２０との間のリンクが確立されて、親機１０から受話子機２０へ親機フラグ情報が送信される。換言すれば、親機１０の音量大ボタン１１Ａが押下された場合であっても、電話機１が通話可能な状態（すなわち親機１０または受話子機２０が電話機１の電話回線を捕捉した状態）になるまで、親機１０と受話子機２０との間でリンクは確立されず、また音量大ボタン１１Ａに対する操作の情報（音声操作情報）は親機１０から受話子機２０へ送信されない。したがって、音量大ボタン１１Ａが押下されるたびに、親機１０から受話子機２０へ、最新の親機フラグ情報が送信される構成と比較して、親機１０と受話子機２０との間の無線通信に要する電力を低減することができる。
【００３９】
（変形例）
本実施形態の受話音量調整処理では、親機操作部１１が受話子機２０の受話音量を制御するための操作（音量大ボタン１１Ａの押下）を検出する。しかしながら、親機操作部１１は、受話子機２０の制御に関わるどのような操作を検出してもよい。例えば、受話子機２０をチャイルドロックする操作の情報が、受話子機２０の制御に関わる操作の情報として、親機操作部１１によって検出されて、親機１０から受話子機２０へ送信されてよい。
【００４０】
（フラグに基づく受話音量調整の例１）
親機フラグ情報と受話子機フラグ情報が競合する場合、受話子機２０の受話音量がどのように調整されるのかを説明する。
【００４１】
図６を用いて、音量制御部２２が実行する受話子機２０の受話音量の調整（図５の（ａ）、特にＳ１０７〜Ｓ１１０参照）について、詳細に説明する。図６は、親機フラグの値（０または１）および受話子機フラグの値（０または１）の組合せと、音量大機能のＯＮまたはＯＦＦとの対応関係を示す。図６に示すように、受話子機フラグ＝１である場合、親機フラグの値が０か１かに関わらず、音量大機能はＯＮに設定される。また、受話子機フラグ＝０であり、かつ、親機フラグ＝１である場合にも、音量大機能はＯＮに設定される。一方、受話子機フラグ＝０であり、かつ、親機フラグ＝０である場合、音量大機能はＯＦＦに設定される。すなわち、本実施形態では、親機１０の音量大ボタン１１Ａおよび受話子機２０の音量大ボタン２１Ａのうちの少なくとも一方が操作された場合、音量制御部２２は、受話子機２０の音量大機能をＯＮにする。また、親機１０の音量大ボタン１１Ａおよび受話子機２０の音量大ボタン２１Ａのどちらも操作されていない場合、音量制御部２２は、受話子機２０の音量大機能をＯＦＦにする。
【００４２】
（フラグに基づく受話音量調整の例２）
一変形例では、音量大機能のＯＮとＦＦとを切り替えるための最後の操作を受けた機器（親機１０または受話子機２０）のフラグによって、受話子機２０の音量大機能が設定されてよい。この構成では、音量制御部２２は、図６に示す親機フラグおよび受話子機フラグのうち、時間的に最も新しい操作（すなわち最後の操作）を受けた機器（親機１０または受話子機２０）のフラグの値に基づいて、受話子機２０の受話音量を調整してもよい。すなわち、最後の操作を受けた機器のフラグ（親機フラグまたは受話子機フラグ）の値が１（ＯＮに対応）である場合、音量制御部２２は、音量大機能をＯＮにする。一方、最後の操作を受けた機器のフラグ（親機フラグまたは受話子機フラグ）の値が０（ＯＦＦに対応）である場合、音量制御部２２は、音量大機能をＯＦＦにする。
【００４３】
（２．親機１０の動作）
図５の（ｂ）を用いて、受話音量調整処理に対応して親機１０が実行する処理の流れを説明する。図５の（ｂ）に示すように、最初、親機１０は待機状態であり、親機１０の親機通信部１２と受話子機２０の受話子機通信部２４とはリンクしていない（Ｓ２０１）。
【００４４】
親機操作部１１は、受話子機通信部２４と親機通信部１２とがリンクしていない状態である間に、親機操作部１１の音量大ボタン１１Ａを押下するユーザの操作（受話器音声操作）を検出しなかった場合（Ｓ２０２でＮｏ）、親機フラグ情報管理部１４の親機フラグを初期値０のままで維持する（Ｓ２０３）。また、親機操作部１１は、受話子機通信部２４と親機通信部１２とがリンクしていない状態である間に、親機操作部１１の音量大ボタン１１Ａを押下するユーザの操作を検出した場合（Ｓ２０２でＹｅｓ）、親機フラグ情報管理部１４の親機フラグを０から１に切り替える（Ｓ２０４）。なお、親機操作部１１は、親機操作部１１の音量大ボタン１１Ａが２回以上押下された場合、２回目以降の操作を無視してもよいし、操作を検出するごとに、親機フラグを０と１との間で交互に切り替えてもよい。
【００４５】
通話を開始するユーザの操作（具体的には、通話ボタン１１Ｂまたは２１Ｂの押下、あるいは受話子機２０のオフフック）が行われた場合、親機通信部１２は、受話子機２０の受話子機通信部２４との間でリンクを確立する（Ｓ２０５）。
【００４６】
受話子機通信部２４と親機通信部１２との間でリンクが確立した後、親機通信部１２は、無線通信によって、親機１０の親機フラグ情報管理部１４の親機フラグ情報を、受話子機２０に送信する（Ｓ２０６、親機通信ステップ）。以上で、親機１０が実行する処理は終了する。
【００４７】
（変形例１）
本実施形態では、通話を開始するユーザの操作が行われた場合に、親機１０と受話子機２０との間のリンクが確立される（図５の（ａ）のＳ１０４〜Ｓ１０５および図５の（ｂ）のＳ２０４〜Ｓ２０５）。しかしながら、一変形例では、音量制御部２２が、親機操作部１１の音量大ボタン１１Ａが押下されてから、受話子機２０のイヤピースから電話の相手の音声が出力される直前までの任意のタイミングで、親機１０と受話子機２０との間のリンクが確立されて、親機１０から受話子機２０へ、親機フラグ情報が送信されてよい。
【００４８】
（変形例２）
他の変形例では、親機１０から受話子機２０へ音声データが送信される前（または、送信されるとき）に、親機１０から受話子機２０へ、親機フラグ情報が送信されてよい。例えば、親機１０と受話子機２０とが外線または内線で通話を行うとき、あるいは、親機１０に保存されている留守番電話の録音を受話子機２０で再生するときに、親機１０から受話子機２０へ、親機フラグ情報が送信されてよい。
【００４９】
〔実施形態２〕
本発明の他の実施形態について説明すれば、以下のとおりである。なお、説明の便宜上、前記実施形態にて説明した部材と同じ機能を有する部材については、同じ符号を付記し、その説明を省略する。
【００５０】
前記実施形態１では、電話機１が通話可能な状態となったとき、換言すれば、親機１０または受話子機２０が電話回線を捕捉したときに、親機フラグ情報が受話子機２０へ送信される構成を説明した。しかしながら、例えば、電話機１が店頭に展示されている場合など、電話機１が電話回線と接続されていない場合もあり得る。
【００５１】
そこで、本実施形態では、コードレス電話機２が電話回線に接続されていない場合に限り、親機１０´の音量大ボタン１１Ａまたは受話子機２０の音量大ボタン２１Ａが押下されるたびに、親機１０´と受話子機２０とがリンクを確立して、親機１０´から受話子機２０へ最新の親機フラグ情報が送信される構成を説明する。
【００５２】
（電話機２の構成）
図７に、実施形態２に係るコードレス電話機２（以下では、電話機２と略称する）の構成を示す。図７に示すように、電話機２の親機１０´は、前記実施形態１に係る電話機１の親機１０の構成（図１参照）に加えて、回線接続判定部１５をさらに備えている。なお、電話機２の受話子機２０の構成は、電話機１の受話子機２０の構成と同じである。
【００５３】
回線接続判定部１５は、親機１０´の音量大ボタン１１Ａが押下されたとき、親機１０´に電話回線が接続されているか否かを判定する。親機１０´に電話回線が接続されている場合、親機通信部１２は、前記実施形態１で説明したように、電話機２が通話可能な状態となったとき（すなわち、親機１０´または受話子機２０が電話回線を捕捉したとき）に、親機フラグ情報を受話子機２０へ送信する。一方、親機１０´に電話回線が接続されていない場合、親機通信部１２は、音量大ボタン１１Ａが押下されるたびに、最新の親機フラグ情報を受話子機へ送信する。
【００５４】
本実施形態の構成によれば、電話機２に電話回線が接続されていない場合、つまり、電話機２が通話可能な状態とはならない場合であっても、親機１０と受話子機２０との間で、受話子機２０の制御に関わる操作の情報が共有される。したがって、例えば、電話機２が店頭にある場合に、お客様に電話機２の音量大機能を体験させることができる。なお、本実施形態の構成は、電話機２が電話回線に接続されていない場合に、電話機２が電話回線に接続している場合の動作を模擬させるデモ機能の一部として適用することができる。
【００５５】
〔実施形態３〕
電話機１、２の制御ブロック（特に、親機１０、１０´の親機通信部１２、および、受話子機２０の音量制御部２２および受話子機表示部２５。親機１０´の回線接続判定部１５）は、集積回路（ＩＣチップ）等に形成された論理回路（ハードウェア）によって実現してもよいし、ＣＰＵ（Central Processing Unit）を用いてソフトウェアによって実現してもよい。
【００５６】
後者の場合、電話機１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５７】
〔まとめ〕
本発明の態様１に係る電話機（１、２）は、親機（１０、１０´）と、該親機と無線接続される受話器（受話子機２０）とを備えた電話機であって、上記親機は、上記受話器の音声機能を制御するための受話器音声操作を検出する操作検出部（親機操作部１１）と、上記操作検出部が検出した上記受話器音声操作の情報である音声操作情報を保持する操作情報保持部（親機フラグ情報管理部１４）と、上記音声機能が上記受話器で動作する前に、上記操作情報保持部が保持する上記音声操作情報を上記受話器へ送信する親機通信部（１２）と、を備え、上記受話器は、上記音声操作情報を上記親機通信部から受信する受話器通信部（受話子機通信部２４）と、上記受話器通信部が受信した上記音声操作情報に基づいて、上記受話器を制御する受話器制御部（音量制御部２２）と、を備えている。
【００５８】
上記の構成によれば、親機で検出された受話器の音声機能の制御に関わる操作の情報は、受話器が当該音声機能を動作させる前まで、親機で保持される。そして、電話機が音声機能を動作させる前に、受話器の音声機能の制御に関わる音声操作情報が親機から受話器へ送信される。したがって、受話器の音声機能の制御に関わる操作が親機で行われるたびに親機と受話器とが無線通信する構成と比較して、無線通信に関する電力の消費量を低減することができる。
【００５９】
本発明の態様２に係る電話機は、上記態様１において、上記親機通信部は、上記電話機が外線と通話可能な状態になったとき、あるいは、上記親機と上記受話器とが内線で通話可能な状態になったとき、上記音声操作情報を上記受話器へ送信してもよい。
【００６０】
上記の構成によれば、受話器が通話のために音声機能を動作させる前まで、親機で保持される。そして、受話器が音声機能を動作させる前に、受話器の音声機能の制御に関わる操作の情報が親機から受話器へ送信される。したがって、受話器の音声機能の制御に関わる操作が親機で行われるたびに親機と受話器とが無線通信する構成と比較して、無線通信に関する電力の消費量を低減することができる。
【００６１】
本発明の態様３に係る電話機は、上記態様１または２において、上記操作検出部は、上記受話器音声操作として、上記受話器が出力する音声の音量を調節する操作を検出し、上記受話器制御部は、上記受話器が出力する音声の音量を制御してもよい。
【００６２】
上記の構成によれば、親機において、受話器が出力する音声の音量を調節する受話器音声操作が行われた場合、受話器が音声機能を動作させる前まで、上記音声操作情報が親機で保持される。したがって、上記音声操作情報を親機から受話器へ送信するための無線通信に係る電力の消費量を低減することができる。
【００６３】
本発明の態様４に係る電話機は、上記態様１から３のいずれかにおいて、上記受話器制御部は、上記受話器に対する操作による制御と、上記操作検出部が検出した上記受話器音声操作による制御とが競合する場合、それらの操作のうちの最後の操作に基づいて、上記受話器を制御してもよい。
【００６４】
上記の構成によれば、ユーザの最後の受話器音声操作、つまり、ユーザの意思を正しく表している可能性が最も高い受話器音声操作に基づいて、受話器を制御することができる。
【００６５】
本発明の態様５に係る電話機は、上記態様１から４のいずれかにおいて、上記親機に対して、通話を開始する操作が行われたときに、上記親機通信部は、上記操作情報保持部が保持する上記音声操作情報を上記受話器へ送信してもよい。
【００６６】
上記の構成によれば、ユーザが通話を開始するときに、それまでのユーザの受話器音声操作を受話器の制御に反映することができる。そのため、例えば、ユーザが、通話を開始する前に、受話器の受話音量を調整する受話器音声操作を行っていた場合、ユーザが通話を開始する前に、その受話器音声操作は受話器の受話音量の制御に反映される。したがって、ユーザは、電話の相手の音声を調整後の受話音量で聞くことができる。
【００６７】
本発明の態様６に係る電話機は、上記態様１から５のいずれかにおいて、上記受話器は、通話を開始するための通話ボタンを備えており、上記受話器が通話を開始する操作を受け付けたとき、上記受話器通信部は、上記操作検出部が検出した上記音声操作情報を受信してもよい。
【００６８】
上記の構成によれば、ユーザが受話器に対して通話を開始する操作を行ったとき、音声操作情報を受話器へ送信することができる。
【００６９】
本発明の態様７に係る電話機は、上記態様１から６のいずれかにおいて、上記受話器通信部は、上記音声機能に関する設定の状態を示す制御状態情報を上記親機通信部に送信し、上記親機は、上記受話器通信部から受信した上記制御状態情報を報知する親機報知部（親機表示部１３）をさらに備えていてもよい。
【００７０】
上記の構成によれば、ユーザは、受話器の音声機能に関する設定の状態を親機で確認することができる。
【００７１】
本発明の態様８に係る電話機は、上記態様１から７のいずれかにおいて、当該電話機に電話回線が接続されているか否かを判定する回線接続判定部（１５）をさらに備え、上記回線接続判定部が、当該電話機に電話回線が接続されていないと判定した場合、上記親機通信部は、上記操作検出部が上記受話器音声操作を検出したときに、該音声操作情報を上記受話器へ送信してもよい。
【００７２】
上記の構成によれば、電話機が電話回線と接続されていない場合、音声操作情報は、親機から受話器へすぐに送信される。そのため、電話機が電話回線と接続されていないとき、例えば、電話機が店頭に展示されているときに、親機を操作して受話器を制御する操作をユーザに体験させることができる。
【００７３】
本発明の態様９に係る電話機の制御方法は、親機と、該親機と無線接続される受話器とを備えた電話機の制御方法であって、上記親機において、上記受話器の音声機能を制御するための受話器音声操作を検出する操作検出ステップと、上記操作検出ステップにおいて検出した上記受話器音声操作の情報である音声操作情報を保持する操作情報保持ステップと、上記音声機能が上記受話器で動作する前に、上記音声操作情報を上記親機から上記受話器へ送信する親機通信ステップと、上記受話器が上記親機から上記音声操作情報を受信する受話器通信ステップと、上記受話器通信ステップにおいて上記受話器が受信した上記音声操作情報に基づいて、上記受話器を制御する受話器制御ステップと、を含む。上記の構成によれば、上記態様１に係る電話機と同様の効果を奏することができる。
【００７４】
本発明の各態様に係る電話機は、コンピュータによって実現してもよく、この場合には、コンピュータを上記電話機が備える各部（ソフトウェア要素）として動作させることにより上記電話機をコンピュータにて実現させる電話機の制御プログラム、およびそれを記録したコンピュータ読み取り可能な記録媒体も、本発明の範疇に入る。
【００７５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７６】
１  コードレス電話機（電話機）
２  コードレス電話機（電話機）
１０  親機
１０´  親機
１１  親機操作部（操作検出部）
１２  親機通信部
１３  親機表示部（親機報知部）
１４  親機フラグ情報管理部（操作情報保持部）
１５  回線接続判定部
２０  受話子機（受話器）
２２  音量制御部（受話器制御部）
２４  受話子機通信部（受話器通信部）
【図１】
2017224960.tif 000003
【図２】
2017224960.tif 000004
【図３】
2017224960.tif 000005
【図４】
2017224960.tif 000006
【図５】
2017224960.tif 000007
【図６】
2017224960.tif 000008
【図７】
2017224960.tif 000009